(57)【要約】  本開示の一態様に係るユーザ端末は、下りリンク空間ドメイン受信フィルタを適用して測定した参照信号の測定結果を送信する送信部と、低遅延ビーム選択を上位レイヤシグナリングによって設定される場合に、ＰＤＣＣＨ（Physical  Downlink  Control  Channel）の受信に用いる下りリンク空間ドメイン受信フィルタが、送信した最新の前記測定結果に対応する下りリンク空間ドメイン受信フィルタと同じであると想定する制御部と、を有することを特徴とする。本開示の一態様によれば、チャネルのＴＣＩ状態又はビームを高速に切り替えることができる。
2020012661.tif 000002
【特許請求の範囲】
【請求項１】
下りリンク空間ドメイン受信フィルタを適用して測定した参照信号の測定結果を送信する送信部と、
低遅延ビーム選択を上位レイヤシグナリングによって設定される場合に、ＰＤＣＣＨ（Physical  Downlink  Control  Channel）の受信に用いる下りリンク空間ドメイン受信フィルタが、送信した最新の前記測定結果に対応する下りリンク空間ドメイン受信フィルタと同じであると想定する制御部と、を有することを特徴とするユーザ端末。
【請求項２】
前記制御部は、ＰＤＳＣＨ（Physical  Downlink  Shared  Channel）の受信に用いる下りリンク空間ドメイン受信フィルタが、前記ＰＤＣＣＨの受信に用いる下りリンク空間ドメイン受信フィルタと同じであると想定することを特徴とする請求項１に記載のユーザ端末。
【請求項３】
前記制御部は、ＰＵＣＣＨ（Physical  Uplink  Control  Channel）の送信に用いる上りリンク空間ドメイン送信フィルタが、前記ＰＤＣＣＨの受信に用いる下りリンク空間ドメイン受信フィルタと同じであると想定することを特徴とする請求項１又は請求項２に記載のユーザ端末。
【請求項４】
下りリンク空間ドメイン受信フィルタを適用して測定された参照信号の測定結果を受信する受信部と、
低遅延ビーム選択を上位レイヤシグナリングによって設定したユーザ端末に対して、受信した最新の前記測定結果に対応する下りリンク空間ドメイン送信フィルタと同じ下りリンク空間ドメイン送信フィルタを用いて、ＰＤＣＣＨ（Physical  Downlink  Control  Channel）を送信する制御を行う制御部と、を有することを特徴とする基地局。
【請求項５】
前記制御部は、前記ＰＤＣＣＨの送信に用いる下りリンク空間ドメイン送信フィルタと同じ下りリンク空間ドメイン送信フィルタを用いて、ＰＤＳＣＨ（Physical  Downlink  Shared  Channel）を送信する制御を行うことを特徴とする請求項４に記載の基地局。
【請求項６】
前記制御部は、前記ＰＤＣＣＨの送信に用いる下りリンク空間ドメイン送信フィルタと同じ上りリンク空間ドメイン受信フィルタを用いて、ＰＵＣＣＨ（Physical  Uplink  Control  Channel）を受信する制御を行うことを特徴とする請求項４又は請求項５に記載の基地局。
【発明の詳細な説明】
【技術分野】
【０００１】
本開示は、次世代移動通信システムにおけるユーザ端末及び基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（以下、単にＮＲとも表記する）では、送信設定指示（ＴＣＩ：Transmission  Configuration  Indicator）状態に基づいて、チャネルの送受信処理を制御することが検討されている。【０００６】
しかしながら、Ｒｅｌ−１５  ＮＲに関してこれまで検討されたＴＣＩ状態の制御方法は、ＴＣＩ状態の変更に比較的長時間を要したり、通信オーバヘッドを要したりする。したがって、頻繁にＴＣＩ状態の変更が必要なケースなどにおいては、通信スループットが低下するおそれがある。【０００７】
そこで、本開示は、チャネルのＴＣＩ状態又はビームを高速に切り替えることができるユーザ端末及び基地局を提供することを目的の１つとする。
【課題を解決するための手段】
【０００８】
本開示の一態様に係るユーザ端末は、下りリンク空間ドメイン受信フィルタを適用して測定した参照信号の測定結果を送信する送信部と、低遅延ビーム選択を上位レイヤシグナリングによって設定される場合に、ＰＤＣＣＨ（Physical  Downlink  Control  Channel）の受信に用いる下りリンク空間ドメイン受信フィルタが、送信した最新の前記測定結果に対応する下りリンク空間ドメイン受信フィルタと同じであると想定する制御部と、を有することを特徴とする。
【発明の効果】
【０００９】
本開示の一態様によれば、チャネルのＴＣＩ状態又はビームを高速に切り替えることができる。
【図面の簡単な説明】
【００１０】
【図１】図１は、Ｒｅｌ−１５  ＮＲにおけるＰＤＣＣＨ用ビーム管理の一例を示す図である。
【図２】図２は、低遅延ビーム選択の一例を示す図である。
【図３】図３は、低遅延ビーム選択が設定される場合のＰＤＣＣＨ用ビーム管理の一例を示す図である。
【図４】図４は、ＣＳＩ測定結果の報告用のＰＵＣＣＨ又はＰＵＳＣＨリソースの一例を示す図である。
【図５】図５は、低遅延ビーム選択が設定される場合のＰＤＳＣＨ用ビーム管理の一例を示す図である。
【図６】図６は、低遅延ビーム選択が設定される場合のＰＵＣＣＨ用ビーム管理の一例を示す図である。
【図７】図７は、低遅延ビーム選択が設定される場合のＰＵＣＣＨ用ビーム管理の別の一例を示す図である。
【図８】図８は、Ｔｏｆｆｓｅｔに基づくＰＤＣＣＨの基地局送信ビームの想定の一例を示す図である。
【図９】図９は、Ｔｏｆｆｓｅｔに基づくＰＤＣＣＨの基地局送信ビームの想定の別の一例を示す図である。
【図１０】図１０は、Ｔｏｆｆｓｅｔに基づくＰＤＣＣＨの基地局送信ビームの想定のさらに別の一例を示す図である。
【図１１】図１１は、一実施形態に係る無線通信システムの概略構成の一例を示す図である。
【図１２】図１２は、一実施形態に係る基地局の全体構成の一例を示す図である。
【図１３】図１３は、一実施形態に係る基地局の機能構成の一例を示す図である。
【図１４】図１４は、一実施形態に係るユーザ端末の全体構成の一例を示す図である。
【図１５】図１５は、一実施形態に係るユーザ端末の機能構成の一例を示す図である。
【図１６】図１６は、一実施形態に係る基地局及びユーザ端末のハードウェア構成の一例を示す図である。
【発明を実施するための形態】
【００１１】
（ＣＯＲＥＳＥＴ）
ＮＲにおいては、物理レイヤ制御信号（例えば、下り制御情報（ＤＣＩ：Downlink  Control  Information））を、基地局からユーザ端末（ＵＥ：User  Equipment）に対して送信するために、制御リソースセット（ＣＯＲＥＳＥＴ：COntrol  REsource  SET）が利用される。
【００１２】
ＣＯＲＥＳＥＴは、制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。
【００１３】
ＵＥは、ＣＯＲＥＳＥＴの設定情報（ＣＯＲＥＳＥＴ設定（CORESET  configuration）、coreset-Configと呼ばれてもよい）を、基地局から受信してもよい。ＵＥは、自端末に設定されたＣＯＲＥＳＥＴをモニタすれば、物理レイヤ制御信号を検出できる。
【００１４】
ＣＯＲＥＳＥＴ設定は、例えば、上位レイヤシグナリングによって通知されてもよく、所定のＲＲＣ情報要素（「ControlResourceSet」と呼ばれてもよい）で表されてもよい。
【００１５】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１６】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００１７】
ＣＯＲＥＳＥＴは、サービングセルにおいてＵＥに設定される帯域幅部分（ＢＷＰ：Bandwidth  Part）ごとに、所定数（例えば、３個以下）設定されてもよい。
【００１８】
ここで、ＢＷＰとは、キャリア（セル、サービングセル、コンポーネントキャリア（ＣＣ：Component  Carrier）などともいう）内に設定される部分的な帯域であり、部分帯域などとも呼ばれる。ＢＷＰは、上り（ＵＬ：Uplink）用のＢＷＰ（ＵＬ  ＢＷＰ、上りＢＷＰ）及び下り（ＤＬ：Downlink）用のＢＷＰ（ＤＬ  ＢＷＰ、下りＢＷＰ）を有してもよい。上記所定数のＣＯＲＥＳＥＴが与えられる各ＢＷＰは、ＤＬ  ＢＷＰであってもよい。
【００１９】
ＣＯＲＥＳＥＴ設定は、主にＰＤＣＣＨのリソース関連設定及びＲＳ関連設定の情報を含んでもよい。ＵＥには、各ＤＬ  ＢＷＰに設定されるＣＯＲＥＳＥＴ＃ｐ（例えば、０≦ｐ＜３）について、以下のパラメータが上位レイヤシグナリング（ＣＯＲＥＳＥＴ設定）によって与えられてもよい。すなわち、以下のパラメータは、ＣＯＲＥＳＥＴ毎にＵＥに通知（設定）されてもよい：
・ＣＯＲＥＳＥＴの識別子（ＣＯＲＥＳＥＴ−ＩＤ（Identifier））、
・ＰＤＣＣＨ用の復調用参照信号（ＤＭＲＳ：DeModulation  Reference  Signal）のスクランブルＩＤ、
・連続する（consecutive）シンボル数で示されるＣＯＲＥＳＥＴの時間長（例えば、time  duration、CORESET-time-duration）、
・周波数領域のリソース割り当て（Frequency-domain  Resource  Allocation）（例えば、ＣＯＲＥＳＥＴを構成する所定数のリソースブロックを示す情報（CORESET-freq-dom））、
・ＣＯＲＥＳＥＴ内の制御チャネル要素（ＣＣＥ：Control  Channel  Element）からリソース要素グループ（ＲＥＧ：Resource  Element  Group）へのマッピングタイプ（インターリーブ又は非インターリーブを示す情報）（例えば、CORESET-CCE-to-REG-mapping-type）、
・所定数のＲＥＧを含むグループ（ＲＥＧバンドル）のサイズ（ＲＥＧバンドル内のＲＥＧ数）を示す情報（例えば、CORESET-REG-bundle-size）、
・ＲＥＧバンドルのインターリーバ用の巡回シフト（ＣＳ：Cyclic  Shift、ＣＳ量又はＣＳインデックス）を示す情報（例えば、CORESET-shift-index）、
・ＰＤＣＣＨ用の送信設定指示（ＴＣＩ：Transmission  Configuration  Indicator）状態（ＰＤＣＣＨ受信用のＤＭＲＳのアンテナポートのＱＣＬ情報（アンテナポートＱＣＬ）などともいう）、
・ＣＯＲＥＳＥＴ＃ｐ内でＰＤＣＣＨによって送信されるＤＣＩ（例えば、ＤＣＩフォーマット１＿０又はＤＣＩフォーマット１＿１）内のＴＣＩフィールドの有無の指示（例えば、TCI-PresentInDCI）。
【００２０】
なお、「ＣＯＲＥＳＥＴ−ＩＤ＃０」は、ＭＩＢを用いて設定されるＣＯＲＥＳＥＴ（イニシャルＣＯＲＥＳＥＴ、デフォルトＣＯＲＥＳＥＴなどと呼ばれてもよい）を示してもよい。
【００２１】
ＰＤＣＣＨ候補（PDCCH  candidates）のサーチ領域及びサーチ方法は、サーチスペース（ＳＳ：Search  Space）として定義される。ＵＥは、サーチスペースの設定情報（サーチスペース設定（search  space  configuration）と呼ばれてもよい）を、基地局から受信してもよい。サーチスペース設定は、例えば、上位レイヤシグナリング（ＲＲＣシグナリングなど）によって通知されてもよい。
【００２２】
ＵＥは、サーチスペース設定に基づいて、ＣＯＲＥＳＥＴをモニタする。ＵＥは、上記サーチスペース設定に含まれるＣＯＲＥＳＥＴ−ＩＤに基づいて、ＣＯＲＥＳＥＴとサーチスペースとの対応関係を判断できる。１つのＣＯＲＥＳＥＴは、１つ又は複数のサーチスペースに関連付けられてもよい。
【００２３】
（ＱＣＬ／ＴＣＩ）
ＮＲでは、ＵＥは、チャネル（例えば、ＰＤＣＣＨ、ＰＤＳＣＨ、ＰＵＣＣＨなど）の疑似コロケーション（ＱＣＬ：Quasi-Co-Location）に関する情報（ＱＣＬ情報）に基づいて、当該チャネルの受信処理（例えば、デマッピング、復調、復号、受信ビーム形成など）、送信処理（例えば、マッピング、変調、符号化、プリコーディング、送信ビーム形成など）を制御することが検討されている。
【００２４】
ここで、ＱＣＬとは、チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００２５】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００２６】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：平均遅延及びドップラーシフト、
・ＱＣＬタイプＤ：空間受信パラメータ。
【００２７】
ＴＣＩ状態（TCI-state）は、ＱＣＬ情報を示してもよい（含んでもよい）。ＴＣＩ状態（及び／又はＱＣＬ情報）は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよく、例えば、ＱＣＬ関係となるＤＬ−ＲＳに関する情報（ＤＬ−ＲＳ関連情報）及び上記ＱＣＬタイプを示す情報（ＱＣＬタイプ情報）の少なくとも１つを含んでもよい。
【００２８】
ＤＬ−ＲＳ関連情報は、ＱＣＬ関係となるＤＬ−ＲＳを示す情報及び当該ＤＬ−ＲＳのリソースを示す情報の少なくとも一つを含んでもよい。例えば、ＵＥに複数の参照信号セット（ＲＳセット）が設定される場合、当該ＤＬ−ＲＳ関連情報は、当該ＲＳセットに含まれるＲＳのうち、チャネル（又は当該チャネル用のポート）とＱＣＬ関係を有するＤＬ−ＲＳ、当該ＤＬ−ＲＳ用のリソースなどの少なくとも１つを示してもよい。
【００２９】
ここで、チャネル用のＲＳ及びＤＬ−ＲＳの少なくとも一方は、同期信号（ＳＳ：Synchronaization  Signal）、ブロードキャストチャネル（ＰＢＣＨ：Physical  Broadcast  Channel）、同期信号ブロック（ＳＳＢ：Synchronization  Signal  Block）、モビリティ参照信号（ＭＲＳ：Mobility  RS）、チャネル状態情報参照信号（ＣＳＩ−ＲＳ：Channel  Satate  Information-Reference  Signal）、復調用参照信号（ＤＭＲＳ：DeModulation  Reference  Signal）、ビーム固有の信号などの少なくとも１つ、又はこれらを拡張、変更などして構成される信号（例えば、密度及び周期の少なくとも一方を変更して構成される信号）であってもよい。
【００３０】
同期信号は、例えば、プライマリ同期信号（ＰＳＳ：Primary  Synchronaization  Signal）及びセカンダリ同期信号（ＳＳＳ：Secondary  Synchronaization  Signal）の少なくとも１つであってもよい。ＳＳＢは、同期信号及びブロードキャストチャネルを含む信号ブロックであってもよく、ＳＳ／ＰＢＣＨブロックなどと呼ばれてもよい。
【００３１】
ＰＤＣＣＨ（又はＰＤＣＣＨに関連するＤＭＲＳアンテナポート）及び所定のＤＬ−ＲＳとのＱＣＬに関する情報は、ＰＤＣＣＨ用ＴＣＩ状態などと呼ばれてもよい。
【００３２】
ＵＥは、ＵＥ固有のＰＤＣＣＨ（ＣＯＲＥＳＥＴ）のためのＴＣＩ状態を、ＲＲＣシグナリング及びＭＡＣ  ＣＥに基づいて判断してもよい。
【００３３】
例えば、ＵＥに対して、ＣＯＲＥＳＥＴごとに、１つ又は複数（Ｋ個）のＴＣＩ状態が上位レイヤシグナリング（ControlResourceSet情報要素）によって設定されてもよい。また、ＵＥは、各ＣＯＲＥＳＥＴについて、それぞれ１つ又は複数のＴＣＩ状態を、ＭＡＣ  ＣＥを用いてアクティベートしてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３４】
ＴＣＩ状態は、ビームに対応してもよい。例えば、ＵＥは、異なるＴＣＩ状態のＰＤＣＣＨは、異なるビームを用いて送信されると想定してもよい。
【００３５】
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３６】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３７】
ＰＤＳＣＨのスケジューリングに用いられるＤＣＩは、ＴＣＩ状態（ＰＤＳＣＨ用のＱＣＬ情報）を示す所定のフィールド（例えば、ＴＣＩ用のフィールド、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３８】
また、ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００３９】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００４０】
ＵＥは、ＤＣＩ内のＴＣＩフィールド値が示すＴＣＩ状態に基づいて、ＰＤＳＣＨ（又はＰＤＳＣＨのＤＭＲＳポート）のＱＣＬを決定してもよい。例えば、ＵＥは、サービングセルのＰＤＳＣＨのＤＭＲＳポート（又は、ＤＭＲＳポートグループ）が、ＤＣＩで通知されたＴＣＩ状態に対応するＤＬ−ＲＳとＱＣＬであると想定して、ＰＤＳＣＨの受信処理（例えば、復号、復調など）を制御してもよい。
【００４１】
（ビーム管理）
ところで、これまでＲｅｌ−１５  ＮＲにおいては、ビーム管理（ＢＭ：Beam  Management）の方法が検討されてきた。当該ビーム管理においては、ＵＥが報告したＬ１−ＲＳＲＰをベースに、ビーム選択を行うことが検討されている。ある信号／チャネルのビームを変更する（切り替える）ことは、当該信号／チャネルのＴＣＬ状態（ＱＣＬ）を変更することに相当する。
【００４２】
なお、ビーム選択によって選択されるビームは、送信ビーム（Ｔｘビーム）であってもよいし、受信ビーム（Ｒｘビーム）であってもよい。また、ビーム選択によって選択されるビームは、ＵＥのビームであってもよいし、基地局のビームであってもよい。
【００４３】
ＵＥは、Ｌ１−ＲＳＲＰを、ＣＳＩに含めて上り制御チャネル（ＰＵＣＣＨ：Physical  Uplink  Control  Channel）又は上り共有チャネル（ＰＵＳＣＨ：Physical  Uplink  Shared  Channel）を用いて報告してもよい。
【００４４】
なお、ＣＳＩは、チャネル品質識別子（ＣＱＩ：Channel  Quality  Indicator）、プリコーディング行列識別子（ＰＭＩ：Precoding  Matrix  Indicator）、ＣＳＩ−ＲＳリソース識別子（ＣＲＩ：CSI-RS  Resource  Indicator）、ＳＳ／ＰＢＣＨブロックリソース識別子（ＳＳＢＲＩ：SS/PBCH  Block  Indicator）、レイヤ識別子（ＬＩ：Layer  Indicator）、ランク識別子（ＲＩ：Rank  Indicator）、Ｌ１−ＲＳＲＰなどの少なくとも１つを含んでもよい。
【００４５】
ビーム管理のために報告される測定結果（例えば、ＣＳＩ）は、ビーム測定（beam  measurement）、ビーム測定結果、ビーム測定レポート（beam  measurement  report）などと呼ばれてもよい。
【００４６】
ＵＥは、ＣＳＩ測定用のリソースを用いてチャネル状態を測定し、Ｌ１−ＲＳＲＰを導出してもよい。ＣＳＩ測定用のリソースは、例えば、ＳＳ／ＰＢＣＨブロックのリソース、ＣＳＩ−ＲＳのリソース、その他の参照信号リソースなどの少なくとも１つであってもよい。ＣＳＩ測定報告の設定情報は、上位レイヤシグナリングを用いてＵＥに設定されてもよい。
【００４７】
当該ＣＳＩ測定報告の設定情報（CSI-MeasConfig又はCSI-ResourceConfig）は、ＣＳＩ測定のための１つ以上のノンゼロパワー（ＮＺＰ：Non  Zero  Power）ＣＳＩ−ＲＳリソースセット（NZP-CSI-RS-ResourceSet）、１つ以上のゼロパワー（ＺＰ）ＣＳＩ−ＲＳリソースセット（ZP-CSI-RS-ResourceSet）（又はＣＳＩ−ＩＭ（Interference  Management）リソースセット（CSI-IM-ResourceSet））及び１つ以上のＳＳ／ＰＢＣＨブロックリソースセット（CSI-SSB-ResourceSet）などの情報を含んでもよい。
【００４８】
各リソースセットの情報は、当該リソースセット内のリソースにおける繰り返し（repetition）に関する情報を含んでもよい。当該繰り返しに関する情報は、例えば‘オン’又は‘オフ’を示してもよい。なお、‘オン’は‘有効（enabled又はvalid）’と表されてもよいし、‘オフ’は‘無効（disabled又はinvalid）’と表されてもよい。
【００４９】
例えば、繰り返しが‘オン’を設定されたリソースセットについて、ＵＥは、当該リソースセット内のリソースが同じ下りリンク空間ドメイン送信フィルタ（same  downlink  spatial  domain  transmission  filter）を用いて送信されたと想定してもよい。この場合、ＵＥは、当該リソースセット内のリソースが同じビームを用いて（例えば、同じ基地局から同じビームを用いて）送信されたと想定してもよい。
【００５０】
繰り返しが‘オフ’を設定されたリソースセットについて、ＵＥは、当該リソースセット内のリソースが同じ下りリンク空間ドメイン送信フィルタを用いて送信されたとは想定してはいけない（又は、想定しなくてもよい）、という制御を行ってもよい。この場合、ＵＥは、当該リソースセット内のリソースが同じビームを用いては送信されない（異なるビームを用いて送信された）と想定してもよい。つまり、繰り返しが‘オフ’を設定されたリソースセットについて、ＵＥは、基地局がビームスイーピングを行っていると想定してもよい。
【００５１】
図１は、Ｒｅｌ−１５  ＮＲにおけるＰＤＣＣＨ用ビーム管理の一例を示す図である。ＮＷ（ネットワーク、例えば基地局）は、あるＵＥのＰＤＣＣＨ用ＴＣＩ状態の切り替えを行うことを決定する（ステップＳ１０１）。ＮＷは、当該ＵＥに対して古い（切り替え前の）ＴＣＩ状態に従うＰＤＣＣＨを用いて、ＰＤＳＣＨのスケジューリングのためのＤＣＩを送信する（ステップＳ１０２）。
【００５２】
また、基地局は、当該ＰＤＳＣＨに、ＵＥ固有ＰＤＣＣＨ用ＴＣＩ状態指示ＭＡＣ  ＣＥを含めて送信する（ステップＳ１０３）。
【００５３】
ＵＥは、上記ＤＣＩを検出すると、上記ＰＤＳＣＨを復号し、上記ＭＡＣ  ＣＥを取得する。ＵＥは、上記ＭＡＣ  ＣＥを受信すると、当該ＭＡＣ  ＣＥを提供したＰＤＳＣＨのためのＨＡＲＱ−ＡＣＫ（Hybrid  Automatic  Repeat  reQuest  Acknowledgement）を送信する（ステップＳ１０４）。ＵＥは、当該ＨＡＲＱ−ＡＣＫを送信するスロットから３ミリ秒後に、上記ＭＡＣ  ＣＥに基づくＴＣＩ状態のアクティベーションコマンドを適用する（ステップＳ１０５）。
【００５４】
その後、基地局は、新しい（切り替え後の）ＴＣＩ状態に従うＰＤＣＣＨを送信し、ＵＥは、当該ＰＤＣＣＨを受信して復号できる（ステップＳ１０６）。
【００５５】
以上説明したように、Ｒｅｌ−１５  ＮＲに関してこれまで検討されたＰＤＣＣＨ用のＴＣＩ状態の制御方法は、ＴＣＩ状態の変更に比較的長時間を要する。また、他のチャネル（ＰＤＳＣＨ、ＰＵＣＣＨなど）についても、ＴＣＩ状態の変更には比較的長時間を要したり、通信オーバヘッドを要したりする。したがって、頻繁にＴＣＩ状態の変更が必要なケースなどにおいては、当該変更にかかる遅延が問題になり、通信スループットが低下するおそれがある。
【００５６】
そこで、本発明者らは、チャネルのＴＣＩ状態又はビームを高速に切り替える方法を着想した。
【００５７】
以下、本開示に係る実施形態について、図面を参照して詳細に説明する。各実施形態に係る無線通信方法は、それぞれ単独で適用されてもよいし、組み合わせて適用されてもよい。
【００５８】
（無線通信方法）
＜低遅延ビーム選択の設定＞
一実施形態において、ＵＥは、低遅延ビーム選択を上位レイヤシグナリングによって設定される場合には、ＰＤＣＣＨ用のＴＣＩ状態を設定されないと想定してもよい。
【００５９】
図２は、低遅延ビーム選択の一例を示す図である。ＮＷは、あるＵＥのＰＤＣＣＨ用ＴＣＩ状態の切り替えを行うことを決定する（ステップＳ２０１）。ＮＷは、ステップＳ２０１の後、図１のような古いＴＣＩ状態に従うＰＤＣＣＨ（ＤＣＩ）送信、ＰＤＳＣＨ（ＭＡＣ  ＣＥ）送信などを行うことなく、当該ＵＥに対して新しい（切り替え後の）ＴＣＩ状態に従うＰＤＣＣＨを送信する（ステップＳ２０２）。
【００６０】
なお、低遅延ビーム選択（low  latency  beam  selection）は、高速ビーム選択（fast  beam  selection）、ＴＣＩ状態なしのビーム選択（beam  selection  w/o  TCI  state）、ビーム選択タイプII（beam  selection  type  II）、ＴＣＩ状態指定タイプ２などと呼ばれてもよい。
【００６１】
一方、図１で述べたようなＲＲＣ＋ＭＡＣ  ＣＥを用いたＴＣＩ状態の指示方法は、高遅延ビーム選択（high  latency  beam  selection）は、低速ビーム選択（slow  beam  selection）、ＴＣＩ状態ありのビーム選択（beam  selection  w  TCI  state）、ビーム選択タイプI（beam  selection  type  I）、ＴＣＩ状態指定タイプ１、Ｒｅｌ−１５ビーム選択などと呼ばれてもよい。
【００６２】
ＵＥは、低遅延ビーム選択を設定されない場合には、高遅延ビーム選択に従うと想定してもよい。この場合、ＵＥはＴＣＩ状態を設定されることによって基地局の送信ビームを把握できる。
【００６３】
つまり、ＵＥは、上位レイヤシグナリングによって、低遅延ビーム選択及び高遅延ビーム選択を切り替えることができる。
【００６４】
＜ＰＤＣＣＨの受信処理＞
図２のようにＴＣＩ状態を設定されない場合であっても、ＵＥは、例えば想定されるＴＣＩ状態についてＰＤＣＣＨのブラインド復号を試行することによって、ＰＤＣＣＨの復号を行ってもよい。ＵＥは、特定の信号／チャネル（例えば、設定されるＳＳ／ＰＢＣＨブロック及びＣＳＩ−ＲＳの少なくとも１つ）とＰＤＣＣＨのＤＭＲＳとがＱＣＬであると想定してＰＤＣＣＨの受信処理（復調、復号など）を行ってもよい。
【００６５】
また、低遅延ビーム選択を設定されたＵＥは、ＰＤＣＣＨ用のＵＥ受信ビームが、報告した最新のビーム測定結果に対応するＵＥ受信ビームと同じであると想定してもよい。低遅延ビーム選択を設定されたＵＥは、ＰＤＣＣＨ用の基地局送信ビームが、ＵＥが報告した最新のビーム測定結果に対応する基地局送信ビームと同じであると想定してもよい。言い換えると、低遅延ビーム選択を設定されたＵＥは、ＰＤＣＣＨ用のＴＣＩ状態が、報告した最新のビーム測定結果に対応するＴＣＩ状態と同じである（報告した最新のビーム測定結果に対応する測定に用いた信号／チャネルとＱＣＬである）と想定してもよい。
【００６６】
このような想定に基づくことによって、ＵＥは、ＰＤＣＣＨ用のＴＣＩ状態を通知されなくても特定のＵＥ受信ビームを用いてＰＤＣＣＨ（ＣＯＲＥＳＥＴ）のモニタを行うことができる。
【００６７】
なお、本開示における「低遅延ビーム選択を設定されたこと」は、「低遅延ビーム選択を設定され、かつＣＳＩ測定用のリソースセット内のリソースにおける繰り返しが‘オフ’に設定されたこと」、「低遅延ビーム選択を設定され、かつＣＳＩ測定用のリソースにおいて基地局が送信ビームスイーピングを適用すること」などで読み替えられてもよい。
【００６８】
また、本開示におけるＣＯＲＥＳＥＴは、サーチスペース、サーチスペースセット、ＰＤＣＣＨ候補などの少なくとも１つで読み替えられてもよい。
【００６９】
図３は、低遅延ビーム選択が設定される場合のＰＤＣＣＨ用ビーム管理の一例を示す図である。ＵＥは、低遅延ビーム選択を設定され、さらにＣＳＩ測定用の参照信号として、繰り返しが‘オフ’のＲＳ＃１−＃４を設定されていると想定する。
【００７０】
基地局は、ＲＳ＃１−＃４をＵＥに送信する（ステップＳ３０１）。当該ＲＳの送信について、基地局は送信ビームスイーピングを適用してもよい。ＵＥは、繰り返しが‘オフ’のＲＳ＃１−＃４について、同じＵＥ受信ビームを想定してもよい（同じＵＥ受信ビームを用いて受信処理を行ってもよい）。
【００７１】
ＵＥは、ＲＳ＃１−＃４の測定結果に基づく測定報告（例えばＣＳＩ）を、ＰＵＣＣＵ又はＰＵＳＣＨを用いて送信する（ステップＳ３０２）。ＵＥは、例えば、ＲＳ＃１−Ｒ４のうち、最良のビームの測定結果を送信してもよい。測定報告については後述する。
【００７２】
基地局は、任意のタイミングで、ＵＥのＰＤＣＣＨ用ＴＣＩ状態の切り替えを行うことを決定してもよい（ステップＳ３０３）。基地局は、ステップＳ３０３の後の任意のＣＯＲＥＳＥＴで送信するＰＤＣＣＨを、新しい基地局送信ビーム（ＴＣＩ状態）を用いて送信してもよい（ステップＳ３０４）。
【００７３】
ＵＥは、ステップＳ３０４のＣＯＲＥＳＥＴの受信においては、ステップＳ３０２において報告した最新のビーム測定結果に対応するＵＥ受信ビーム（ステップＳ３０１で用いたＵＥ受信ビーム）と同じＵＥ受信ビームを用いてもよい。
【００７４】
＜ビーム測定報告＞
ステップＳ３０２の測定報告の一例について説明する。ＵＥは、ＣＳＩ測定用のリソース及び干渉測定用のリソースの少なくとも１つに基づいて、チャネル品質測定及び干渉測定の少なくとも一方を行って、測定結果（例えば、ＣＳＩ）をＰＵＣＣＨ又はＰＵＳＣＨを用いて報告（送信）してもよい。
【００７５】
ＣＳＩ測定用のリソース及び干渉測定用のリソースは、例えば、ＳＳ／ＰＢＣＨブロックのリソース、ＣＳＩ−ＲＳのリソースなどであってもよい。基地局は、ＵＥの報告結果に基づいて送信又は受信ビーム選択を行ってもよい。以下、ＣＳＩ測定及び干渉測定をまとめてＣＳＩ測定とも呼ぶ。
【００７６】
本開示におけるＣＳＩ測定／報告は、ビーム管理のための測定／報告、ビーム測定／報告、無線リンク品質測定／報告などの少なくとも１つで読み替えられてもよい。
【００７７】
また、チャネル品質測定の結果は例えばＬ１−ＲＳＲＰを含んでもよい。
【００７８】
また、干渉測定の結果は、ＳＩＮＲ（Signal  to  Interference  plus  Noise  Ratio）、ＳＮＲ（Signal  to  Noise  Ratio）、ＲＳＲＱ（Reference  Signal  Received  Quality）、その他の干渉に関する指標（例えば、Ｌ１−ＲＳＲＰでない任意の指標）を含んでもよい。なお、ＳＩＮＲ、ＳＮＲ、ＲＳＲＱは、例えばそれぞれＬ１−ＳＩＮＲ、Ｌ１−ＳＮＲ、Ｌ１−ＲＳＲＱなどと呼ばれてもよい。
【００７９】
ＵＥがＬ１−ＲＳＲＰ、Ｌ１−ＲＳＲＱ、Ｌ１−ＳＩＮＲ及びチャネル品質測定の結果の少なくとも１つを報告する場合には、所定の数の最も大きい値（大きいほうから所定の数の値）を報告してもよい。ＵＥが干渉測定の結果の少なくとも１つを報告する場合には、所定の数の最も小さい値（小さいほうから所定の数の値）を報告してもよい。なお、ＵＣＩに値が複数含まれる場合は、１つの値と、当該１つの値と他の値との差分と、が含まれてもよい。
【００８０】
ＵＥは、当該所定の数に関する情報を、上位レイヤシグナリング、物理レイヤシグナリング又はこれらの組み合わせを用いて通知されてもよい。当該所定の数は、例えば１、２、４などであってもよい。当該所定の数は、チャネル品質測定の報告と干渉測定の報告とで異なる値が設定されてもよい。
【００８１】
ＵＥは、所定の数の最も大きいＬ１−ＲＳＲＰ、Ｌ１−ＲＳＲＱ、Ｌ１−ＳＩＮＲ及びチャネル品質測定の結果の少なくとも１つに対応するビームインデックス（ビームＩＤ）、ＣＳＩ測定用リソースＩＤ（例えば、ＳＳＢＲＩ、ＣＲＩ）又はＣＳＩ測定用信号のインデックス（例えば、ＳＳＢインデックス、ＣＳＩ−ＲＳ  ＩＤ）を報告してもよい。
【００８２】
ＵＥは、所定の数の最も小さい干渉測定の結果の少なくとも１つに対応するビームインデックス（ビームＩＤ）、ＣＳＩ測定用リソースＩＤ（例えば、ＳＳＢＲＩ、ＣＲＩ）又はＣＳＩ測定用信号のインデックス（例えば、ＳＳＢインデックス、ＣＳＩ−ＲＳ  ＩＤ）を報告してもよい。
【００８３】
ＰＵＣＣＨ又はＰＵＳＣＨのリソースが、ビームインデックス、ＣＳＩ測定用リソースＩＤ又はＣＳＩ測定用信号のインデックスに対応してもよい。ＵＥは、ビームインデックスなどに関する情報を明示的に報告せず、特定のＰＵＣＣＨ／ＰＵＳＣＨリソースを用いて報告が行われることによって、当該ビームインデックスなどを暗示的に基地局に通知してもよい。
【００８４】
例えば、ＵＥは、ＣＳＩ測定用のビーム／リソース／ＩＤに対応するＸ個（例えば、８個）のＰＵＣＣＨ／ＰＵＳＣＨリソースを、上位レイヤシグナリングによって設定されてもよい。ＵＥは、Ｘ個のリソースのうち、報告対象のビーム／リソース／ＩＤに対応するｘ個（例えば、２個）のリソースを用いてＣＳＩ報告を送信してもよい。
【００８５】
なお、ＣＳＩ報告用に設定されるＰＵＣＣＨ／ＰＵＳＣＨリソースは、時間リソース、周波数リソース、符号リソース（例えば、サイクリックシフト、直交カバーコード（ＯＣＣ：Orthogonal  Cover  Code））などの少なくとも１つに対応してもよい。
【００８６】
図４は、ＣＳＩ測定結果の報告用のＰＵＣＣＨ又はＰＵＳＣＨリソースの一例を示す図である。本例では、ＵＥは、ＣＳＩ測定用のリソースに対応して８つのＰＵＣＣＨ／ＰＵＳＣＨリソースを報告用に設定されている。例えば、当該リソースは、ＰＵＣＣＨフォーマット０のためのスケジューリングリクエスト（ＳＲ：Scheduling  Request）用のリソースであってもよい。
【００８７】
設定されたリソースは、それぞれビームａ−ｈに対応している。図４では、ＵＥは、ビームｃ及びｆの結果を報告するために、これらに対応するＳＲリソースで送信を行う。
【００８８】
なお、上述した「所定の数の最も大きい」は、「測定結果が閾値以上である」、「測定結果が閾値以上であって、所定の数の最も大きい」などで読み替えられてもよい。また、上述した「所定の数の最も小さい」は、「測定結果が閾値未満である」、「測定結果が閾値未満であって、所定の数の最も大きい」などで読み替えられてもよい。ここでの閾値は、上位レイヤシグナリングによって設定されてもよいし、仕様によって定められてもよい。
【００８９】
ＵＥが１つより多い数の測定結果を基地局に報告した場合、当該基地局がどのように当該ＵＥに対するビームを決定するかは、基地局の実装次第であってもよい。
【００９０】
＜ＴＣＩ状態を設定しない制御が適用されるチャネル＞
本開示の低遅延ビーム選択関連の制御（例えば、ＴＣＩ状態を設定しない制御）は、ＰＤＣＣＨのみに適用されてもよい。ビーム選択について上述した課題（遅延）は主にＰＤＣＣＨに関し、他のチャネルについてのＲｅｌ−１５  ＮＲのビーム選択は機能していると想定されるためである。この場合、ＵＥの実装の複雑化を抑制できる。
【００９１】
また、ＴＣＩ状態を設定しない制御は、ＰＤＳＣＨに適用されてもよい。この場合、ＵＥは、ＰＤＣＣＨ及びＰＤＳＣＨが基地局から同じ送信ビームを用いて送信されると想定してもよい。ＰＤＳＣＨにＴＣＩ状態を設定しないことによって、ＤＣＩ、ＭＡＣ  ＣＥなどを用いたＰＤＳＣＨ用のＴＣＩ状態の通知が不要になるため、通信オーバヘッドの低減が期待できる。
【００９２】
また、ＴＣＩ状態を設定しない制御は、ＰＵＣＣＨに適用されてもよい。この場合、ＵＥは、基地局のＰＤＣＣＨの送信ビームと、基地局のＰＵＣＣＨの受信ビームと、が同じビームであると想定してもよい。
【００９３】
ここで、ＰＵＣＣＨについては、ＴＣＩ状態に相当するものは空間関係（spatial  relation）と表現されてもよい。Ｒｅｌ−１５  ＮＲにおいては、ＲＲＣのＰＵＣＣＨ設定情報（PUCCH-Config情報要素）に、所定のＲＳとＰＵＣＣＨとの間の空間関係情報を含めることができる。当該所定のＲＳは、ＳＳＢ、ＣＳＩ−ＲＳ及び測定用参照信号（ＳＲＳ：Sounding  Reference  Signal）の少なくとも１つである。
【００９４】
ＵＥは、ＳＳＢ又はＣＳＩ−ＲＳとＰＵＣＣＨとに関する空間関係情報を設定される場合には、当該ＳＳＢ又はＣＳＩ−ＲＳの受信のための空間ドメインフィルタと同じ空間ドメインフィルタを用いてＰＵＣＣＨを送信してもよい。つまり、この場合、ＵＥはＳＳＢ又はＣＳＩ−ＲＳのＵＥ受信ビームとＰＵＣＣＨのＵＥ送信ビームとが同じであると想定してもよい。
【００９５】
ＵＥは、ＳＲＳとＰＵＣＣＨとに関する空間関係情報を設定される場合には、当該ＳＲＳの送信のための空間ドメインフィルタと同じ空間ドメインフィルタを用いてＰＵＣＣＨを送信してもよい。つまり、この場合、ＵＥはＳＲＳのＵＥ送信ビームとＰＵＣＣＨのＵＥ送信ビームとが同じであると想定してもよい。
【００９６】
なお、基地局の送信のための空間ドメインフィルタと、下りリンク空間ドメイン送信フィルタ（downlink  spatial  domain  transmission  filter）と、基地局の送信ビームと、は互いに読み替えられてもよい。基地局の受信のための空間ドメインフィルタと、上りリンク空間ドメイン受信フィルタ（uplink  spatial  domain  receive  filter）と、基地局の受信ビームと、は互いに読み替えられてもよい。
【００９７】
また、ＵＥの送信のための空間ドメインフィルタと、上りリンク空間ドメイン送信フィルタ（uplink  spatial  domain  transmission  filter）と、ＵＥの送信ビームと、は互いに読み替えられてもよい。ＵＥの受信のための空間ドメインフィルタと、下りリンク空間ドメイン受信フィルタ（downlink  spatial  domain  receive  filter）と、ＵＥの受信ビームと、は互いに読み替えられてもよい。
【００９８】
ＰＵＣＣＨに関する空間関係情報が１つより多く設定される場合には、ＰＵＣＣＨ空間関係アクティベーション／ディアクティベーションＭＡＣ  ＣＥ（PUCCH  spatial  relation  Activation/Deactivation  MAC  CE）によって、ある時間において１つのＰＵＣＣＨリソースに対して１つのＰＵＣＣＨ空間関係がアクティブになるように制御される。
【００９９】
当該ＭＡＣ  ＣＥは、適用対象のサービングセルＩＤ、ＢＷＰ  ＩＤ、ＰＵＣＣＨリソースＩＤなどの情報を含んでもよい。
【０１００】
ＵＥは、上記ＭＡＣ  ＣＥを提供したＰＤＳＣＨのためのＨＡＲＱ−ＡＣＫを送信するスロットから３ミリ秒後に、上記ＭＡＣ  ＣＥに基づく空間ドメインフィルタの対応する設定を、ＰＵＣＣＨ送信のために適用してもよい。
【０１０１】
ＰＵＣＣＨに空間関係を設定しないことによって、ＭＡＣ  ＣＥなどを用いたＰＵＣＣＨ用の空間関係の通知（アクティベーション）が不要になるため、通信オーバヘッドの低減が期待できる。
【０１０２】
以下、具体的な例について説明する。
【０１０３】
［ＰＤＳＣＨにＴＣＩ状態を設定しない制御］
ＵＥは、低遅延ビーム選択を上位レイヤシグナリングによって設定される場合には、ＰＤＣＣＨ及びＰＤＳＣＨが基地局から同じ送信ビームを用いて送信されると想定してもよい。
【０１０４】
ＰＤＳＣＨが準静的なリソース割り当てをされる場合（例えば、セミパーシステントスケジューリング（ＳＰＳ：Semi-Persistent  Scheduling）ＰＤＳＣＨの場合）、ＵＥは、当該ＰＤＳＣＨの基地局送信ビームと、最も直近のＰＤＣＣＨ（ＣＯＲＥＳＥＴ）の基地局送信ビームと、が同じと想定してもよい。
【０１０５】
ＰＤＳＣＨが動的なリソース割り当てをされる場合、ＵＥは、当該ＰＤＳＣＨの基地局送信ビームと、当該ＰＤＳＣＨをスケジュールするＰＤＣＣＨ（ＣＯＲＥＳＥＴ）の基地局送信ビームと、が同じと想定してもよい。
【０１０６】
ＵＥは、低遅延ビーム選択を上位レイヤシグナリングによって設定される場合には、ＰＤＣＣＨ及びＰＤＳＣＨの受信に同じＵＥ受信ビームを用いると想定してもよい。
【０１０７】
ＰＤＳＣＨが準静的なリソース割り当てをされる場合、ＵＥは、最も直近のＰＤＣＣＨ（ＣＯＲＥＳＥＴ）用のＵＥ受信ビームを用いて当該ＰＤＳＣＨを受信してもよい。
【０１０８】
ＰＤＳＣＨが動的なリソース割り当てをされる場合、ＵＥは、当該ＰＤＳＣＨをスケジュールするＰＤＣＣＨ（ＣＯＲＥＳＥＴ）用のＵＥ受信ビームを用いて当該ＰＤＳＣＨを受信してもよい。
【０１０９】
ＵＥは、低遅延ビーム選択が設定される場合には、ＤＣＩに含まれるＴＣＩフィールドが０ビットであると想定してもよい。例えば、ＤＣＩフォーマット１＿１のＴＣＩフィールドは、ＤＣＩにＴＣＩフィールドを含めることを示す上位レイヤパラメータ（tci-PresentInDCI）が有効でない、又は低遅延ビーム選択を示す上位レイヤパラメータが有効である場合、０ビットであってもよい。
【０１１０】
ＵＥは、上位レイヤシグナリングによって８つより多いＴＣＩ状態が設定される場合であっても、低遅延ビーム選択が設定される場合には、ＵＥ固有ＰＤＳＣＨ用ＴＣＩ状態アクティベーション／ディアクティベーションＭＡＣ  ＣＥ（ＰＤＳＣＨのビーム選択のためのＭＡＣ  ＣＥ）の通知がないと想定してもよい（当該ＭＡＣ  ＣＥの受信を期待しなくてもよい）。
【０１１１】
図５は、低遅延ビーム選択が設定される場合のＰＤＳＣＨ用ビーム管理の一例を示す図である。ステップＳ３０１−Ｓ３０４は、図３の例と同様であってよいため、重複した説明は省略する。本例では、ＵＥがステップＳ３０４のＰＤＣＣＨにおいてＰＤＳＣＨをスケジュールするＤＣＩを検出したと想定する。
【０１１２】
ＵＥは、当該ＤＣＩに基づいてＰＤＳＣＨの受信処理を行う（ステップＳ３０５）。ＵＥは、ステップＳ３０５のＰＤＳＣＨの基地局送信ビームと、ステップＳ３０４のＰＤＣＣＨの基地局送信ビームと、が同じであると想定してもよい。
【０１１３】
また、ＵＥは、ステップＳ３０５のＰＤＳＣＨのＵＥ受信ビームと、ステップＳ３０４のＰＤＣＣＨのＵＥ受信ビームと、が同じであると想定してもよい。
【０１１４】
さらに、ＰＤＣＣＨにＴＣＩ状態が設定されない場合には、ＵＥは、ステップＳ３０５のＰＤＳＣＨのＵＥ受信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１１５】
［ＰＵＣＣＨにＴＣＩ状態を設定しない制御］
ＵＥは、低遅延ビーム選択を上位レイヤシグナリングによって設定される場合には、ＰＤＣＣＨ、ＰＤＳＣＨ及びＰＵＣＣＨの送受信のために、基地局が同じビーム（同じ送受信ビーム）を用いると想定してもよい。
【０１１６】
ＰＵＣＣＨが準静的なリソース割り当てをされる場合（例えば、Ｐ−ＣＳＩ報告、ＳＰ−ＣＳＩ報告の場合）、ＵＥは、当該ＰＵＣＣＨの基地局ビーム（受信ビーム）と、最も直近のＰＤＣＣＨ又はＰＤＳＣＨの基地局ビーム（送信ビーム）と、が同じと想定してもよい。
【０１１７】
ＰＵＣＣＨが動的なスケジューリングに基づく場合（例えば、ＤＬアサインメントによってスケジュールされたＰＤＳＣＨのためのＨＡＲＱ−ＡＣＫをＰＵＣＣＨで送信する場合）、ＵＥは、当該ＰＵＣＣＨの基地局ビーム（受信ビーム）と、当該ＰＵＣＣＨに対応するＰＤＳＣＨ及び当該ＰＤＳＣＨをスケジュールしたＰＤＣＣＨの少なくとも一方の基地局ビーム（送信ビーム）と、が同じと想定してもよい。
【０１１８】
ＵＥは、低遅延ビーム選択を上位レイヤシグナリングによって設定される場合には、ＰＤＣＣＨの受信ビーム及びＰＵＣＣＨの送信ビームが同じであると想定してもよい。
【０１１９】
ＰＵＣＣＨが準静的なリソース割り当てをされる場合、ＵＥは、当該ＰＵＣＣＨのＵＥ送信ビームと、最も直近のＰＤＣＣＨ又はＰＤＳＣＨのＵＥ受信ビームと、が同じと想定してもよい。
【０１２０】
ＰＵＣＣＨが動的なスケジューリングに基づく場合、ＵＥは、当該ＰＵＣＣＨのＵＥ送信ビームと、当該ＰＵＣＣＨに対応するＰＤＳＣＨ及び当該ＰＤＳＣＨをスケジュールしたＰＤＣＣＨの少なくとも一方のＵＥ受信ビームと、が同じと想定してもよい。
【０１２１】
ＵＥは、低遅延ビーム選択が設定される場合には、ＰＵＣＣＨ空間関係アクティベーション／ディアクティベーションＭＡＣ  ＣＥの通知がないと想定してもよい（当該ＭＡＣ  ＣＥの受信を期待しなくてもよい）。
【０１２２】
図６は、低遅延ビーム選択が設定される場合のＰＵＣＣＨ用ビーム管理の一例を示す図である。ステップＳ３０１−Ｓ３０５は、図５の例と同様であってよいため、重複した説明は省略する。
【０１２３】
ＵＥは、ステップＳ３０５において受信したＰＤＳＣＨのためのＨＡＲＱ−ＡＣＫを送信する（ステップＳ３０６）。ＵＥは、ステップＳ３０６のＰＵＣＣＨの基地局受信ビームと、ステップＳ３０５のＰＤＳＣＨの基地局送信ビームと、ステップＳ３０４のＰＤＣＣＨの基地局送信ビームと、が同じであると想定してもよい。
【０１２４】
また、ＵＥは、ステップＳ３０６のＰＵＣＣＨのＵＥ送信ビームと、ステップＳ３０５のＰＤＳＣＨのＵＥ受信ビームと、ステップＳ３０４のＰＤＣＣＨのＵＥ受信ビームと、が同じであると想定してもよい。
【０１２５】
さらに、ＰＤＣＣＨにＴＣＩ状態が設定されない場合には、ＵＥは、ステップＳ３０６のＰＵＣＣＨのＵＥ送信ビームと、ステップＳ３０５のＰＤＳＣＨのＵＥ受信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１２６】
図７は、低遅延ビーム選択が設定される場合のＰＵＣＣＨ用ビーム管理の別の一例を示す図である。ステップＳ３０１−Ｓ３０３及びＳ３０６は、図６の例と同様であってよいため、重複した説明は省略する。本例では、ＵＥがステップＳ３０４のＰＤＣＣＨにおいてＰＤＳＣＨをスケジュールするＤＣＩを検出したと想定する。なお、図６の例とは異なり、当該ＤＣＩはＰＤＳＣＨ用のＴＣＩ状態を指定するフィールドを含む。
【０１２７】
ＵＥは、当該ＤＣＩに基づいてＰＤＳＣＨの受信処理を行う（ステップＳ４０５）。ＵＥは、ステップＳ４０５のＰＤＳＣＨの基地局送信ビームは、ステップＳ３０４のＰＤＣＣＨの基地局送信ビームと、が同じであると想定しなくてもよいし、想定してもよい（図７では想定しない例が示される）。
【０１２８】
ＵＥは、ステップＳ３０６のＰＵＣＣＨの基地局受信ビームと、ステップＳ３０４のＰＤＣＣＨの基地局送信ビームと、が同じであると想定してもよい。
【０１２９】
また、ＵＥは、ステップＳ３０６のＰＵＣＣＨのＵＥ送信ビームと、ステップＳ３０４のＰＤＣＣＨのＵＥ受信ビームと、が同じであると想定してもよい。
【０１３０】
さらに、ＰＤＣＣＨにＴＣＩ状態が設定されない場合には、ＵＥは、ステップＳ３０６のＰＵＣＣＨのＵＥ送信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１３１】
以上説明した一実施形態によれば、ＰＤＣＣＨのためのＴＣＩ状態をより柔軟に設定できる。
【０１３２】
＜変形例＞
［ＰＤＣＣＨの受信処理の変形例］
なお、上記ＰＤＣＣＨの受信処理で説明した想定における「報告した最新のビーム測定結果」は、特定の種類のＣＳＩ報告に限定されてもよい。当該特定の種類のＣＳＩ報告は、例えば、周期的なＣＳＩ（Ｐ−ＣＳＩ：Periodic  CSI）報告、非周期的なＣＳＩ（Ａ−ＣＳＩ：Aperiodic  CSI）報告、半永続的（半持続的、セミパーシステント（Semi-Persistent））なＣＳＩ（ＳＰ−ＣＳＩ：Semi-Persistent  CSI）報告のいずれか、又はこれらの組み合わせであってもよい。
【０１３３】
この場合、基地局がＵＥに対して特定の種類のＣＳＩ報告を実施させるように制御することによって、ＰＤＣＣＨ用の受信ビーム（ＴＣＩ状態）に関するＵＥの想定を変更することができる。
【０１３４】
また、上記想定における「ＰＤＣＣＨ用の受信ビーム／基地局送信ビーム／ＴＣＩ状態」は「時刻ＴにおけるＰＤＣＣＨ用の受信ビーム／基地局送信ビーム／ＴＣＩ状態」であってもよく、この場合上記想定における「報告した最新の」は「時刻ＴよりＴｏｆｆｓｅｔ以上前の時刻に報告した最新の」で読み替えられてもよい。Ｔｏｆｆｓｅｔは、ＵＥ又は基地局がビーム（例えば、ＵＥ受信ビーム、基地局送信ビーム）の切り替えに要する時間に基づいて定義されてもよい。
【０１３５】
なお、Ｔｏｆｆｓｅｔに関する情報は、上位レイヤシグナリング、物理レイヤシグナリング又はこれらの組み合わせを用いて、ＵＥに通知されてもよい。
【０１３６】
図８は、Ｔｏｆｆｓｅｔに基づくＰＤＣＣＨの基地局送信ビームの想定の一例を示す図である。ステップＳ３０２−１及びＳ３０２−２は、上述のステップＳ３０２と同様であるが、Ｓ３０２−１が基地局送信ビーム＃１に関する報告であり、Ｓ３０２−２が基地局送信ビーム＃２に関する報告である点が異なる。
【０１３７】
ステップＳ３０４−１及びＳ３０４−２は、上述のステップＳ３０４と同様であるが、Ｓ３０４−１におけるＰＤＣＣＨには基地局送信ビーム＃１が適用されるとＵＥが想定し、Ｓ３０４−２におけるＰＤＣＣＨには基地局送信ビーム＃２が適用されるとＵＥが想定する点が異なる。
【０１３８】
ステップＳ３０４−１の時点では、ステップＳ３０４−１の報告はＴｏｆｆｓｅｔ以上前の時刻に送信した最新の報告であるが、ステップＳ３０４−２の報告はＴｏｆｆｓｅｔ以内の時刻に送信されたためである。
【０１３９】
また、ステップＳ３０４−２の時点では、ステップＳ３０４−２の報告がＴｏｆｆｓｅｔ以上前の時刻に送信した最新の報告であるためである。
【０１４０】
なお、あるＣＯＲＥＳＥＴの継続時間（duration）内で、ＰＤＣＣＨ用の受信ビームに関するＵＥの想定が変化してもよい。
【０１４１】
図９は、Ｔｏｆｆｓｅｔに基づくＰＤＣＣＨの基地局送信ビームの想定の別の一例を示す図である。本例では、図８とＣＯＲＥＳＥＴの時間的位置が異なるステップＳ３０２−３が示されている。
【０１４２】
また、上述のステップＳ３０４とは、ステップＳ３０４−３のＣＯＲＥＳＥＴ内の途中までのＰＤＣＣＨには基地局送信ビーム＃１が適用されるとＵＥが想定し、それ以降のＰＤＣＣＨには基地局送信ビーム＃２が適用されるとＵＥが想定する点が異なる。
【０１４３】
上記ＣＯＲＥＳＥＴの途中の時点では、ステップＳ３０４−１の報告はＴｏｆｆｓｅｔ以上前の時刻に送信した最新の報告であるが、ステップＳ３０４−２の報告はＴｏｆｆｓｅｔ以内の時刻に送信されたためである。
【０１４４】
また、上記ＣＯＲＥＳＥＴの途中の時点以降では、ステップＳ３０４−２の報告がＴｏｆｆｓｅｔ以上前の時刻に送信した最新の報告であるためである。
【０１４５】
図１０は、Ｔｏｆｆｓｅｔに基づくＰＤＣＣＨの基地局送信ビームの想定のさらに別の一例を示す図である。本例では、図９と同様の例が示されている。
【０１４６】
図１０は、ＵＥが、ステップＳ３０４−３のＣＯＲＥＳＥＴ内の基地局送信ビームの想定を途中で変更しない点が、図９と異なる。ＵＥは、当該ＣＯＲＥＳＥＴ内のＰＤＣＣＨに適用される基地局送信ビームが、当該ＣＯＲＥＳＥＴの開始位置（例えば、開始シンボル、開始スロットなど）の時点からＴｏｆｆｓｅｔ以上前の時刻に送信した最新の報告であるステップＳ３０４−１の報告に対応する基地局送信ビーム＃１であると想定してもよい。
【０１４７】
このように、ＵＥは、ビーム測定結果の報告からＴｏｆｆｓｅｔ以降に始まるＣＯＲＥＳＥＴ（に含まれるＰＤＣＣＨ）の基地局送信ビーム／ＵＥ受信ビームが、当該ビーム測定結果に対応する基地局送信ビーム／ＵＥ受信ビームの想定と同じであると想定してもよい。この場合、ＣＯＲＥＳＥＴ内で基地局送信ビーム又はＵＥ受信ビームの切り替えが生じないため、送受信ビームの切り替えの時間（送受信不可の時間）がＣＯＲＥＳＥＴ内で発生してしまうことを抑制できる。
【０１４８】
［その他のＴｏｆｆｓｅｔ］
ＵＥは、低遅延ビーム選択を上位レイヤシグナリングによって設定される場合には、時刻ＴにおけるＰＤＳＣＨの基地局送信ビームが、時刻ＴよりＴｏｆｆｓｅｔ２以上前の時刻の（最新の）ＰＤＣＣＨの基地局送信ビームと同じであると想定してもよい。
【０１４９】
ＵＥは、低遅延ビーム選択を上位レイヤシグナリングによって設定される場合には、時刻ＴにおけるＰＤＳＣＨのＵＥ受信ビームが、時刻ＴよりＴｏｆｆｓｅｔ２以上前の時刻の（最新の）ＰＤＣＣＨのＵＥ受信ビームと同じであると想定してもよい。
【０１５０】
ＵＥは、低遅延ビーム選択を上位レイヤシグナリングによって設定される場合には、時刻ＴにおけるＰＵＣＣＨの基地局受信ビームが、時刻ＴよりＴｏｆｆｓｅｔ３以上前の時刻の（最新の）ＰＤＳＣＨの基地局送信ビーム及びＰＤＣＣＨの基地局送信ビームの少なくとも一方と同じであると想定してもよい。
【０１５１】
ＵＥは、低遅延ビーム選択を上位レイヤシグナリングによって設定される場合には、時刻ＴにおけるＰＵＣＣＨのＵＥ送信ビームが、時刻ＴよりＴｏｆｆｓｅｔ３以上前の時刻の（最新の）ＰＤＳＣＨのＵＥ受信ビーム及びＰＤＣＣＨのＵＥ受信ビームの少なくとも一方と同じであると想定してもよい。
【０１５２】
Ｔｏｆｆｓｅｔ２、Ｔｏｆｆｓｅｔ３などは、ＵＥ又は基地局がビーム（例えば、ＵＥ送信ビーム、基地局受信ビーム）の切り替えに要する時間に基づいて定義されてもよい。なお、Ｔｏｆｆｓｅｔ２、Ｔｏｆｆｓｅｔ３などに関する情報は、上位レイヤシグナリング、物理レイヤシグナリング又はこれらの組み合わせを用いて、ＵＥに通知されてもよい。
【０１５３】
なお、本開示において「想定する（assume）」ことは、想定して受信処理、送信処理、測定処理などを行うことを意味してもよい。
【０１５４】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１５５】
図１１は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１５６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１５７】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１５８】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１５９】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１６０】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１６１】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１６２】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１６３】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１６４】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１６５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１６６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１６７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１６８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１６９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１７０】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１７１】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１７２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１７３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１７４】
（基地局）
図１２は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１７５】
下りリンクによって基地局１０からユーザ端末２０に送信されるユーザデータは、上位局装置３０から伝送路インターフェース１０６を介してベースバンド信号処理部１０４に入力される。
【０１７６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１７７】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１７８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１７９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１８０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１８１】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ１０１は、例えばアレーアンテナによって構成してもよい。
【０１８２】
図１３は、一実施形態に係る基地局の機能構成の一例を示す図である。なお、本例では、本実施形態における特徴部分の機能ブロックを主に示しており、基地局１０は、無線通信に必要な他の機能ブロックも有すると想定されてもよい。
【０１８３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１８４】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１８５】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１８６】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１８７】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１８８】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１８９】
制御部３０１は、ベースバンド信号処理部１０４におけるデジタルＢＦ（例えば、プリコーディング）及び／又は送受信部１０３におけるアナログＢＦ（例えば、位相回転）を用いて、送信ビーム及び／又は受信ビームを形成する制御を行ってもよい。制御部３０１は、下り伝搬路情報、上り伝搬路情報などに基づいて、ビームを形成する制御を行ってもよい。これらの伝搬路情報は、受信信号処理部３０４及び／又は測定部３０５から取得されてもよい。
【０１９０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１９１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１９２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１９３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１９４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１９５】
測定部３０５は、受信した信号に関する測定を実施する。測定部３０５は、本開示に係る技術分野での共通認識に基づいて説明される測定器、測定回路又は測定装置から構成することができる。
【０１９６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１９７】
なお、送受信部１０３は、下り共有チャネル（例えば、ＰＤＳＣＨ）のスケジュールのための下り制御情報（ＤＣＩ）（ＤＬアサインメントなど）を、ＰＤＣＣＨを用いて送信してもよい。送受信部１０３は、低遅延ビーム選択の設定情報をユーザ端末２０に送信してもよい。
【０１９８】
送受信部１０３は、下りリンク空間ドメイン受信フィルタを適用して測定した参照信号（ＣＳＩ測定用の参照信号、例えばＳＳＢ、ＣＳＩ−ＲＳなど）の測定結果をユーザ端末２０から受信してもよい。
【０１９９】
制御部３０１は、低遅延ビーム選択を上位レイヤシグナリングによって設定したユーザ端末２０に対して、ＰＤＣＣＨの送信及び特定のチャネルの送受信に同じ空間ドメインフィルタを用いる制御を行ってもよい。
【０２００】
制御部３０１は、ＰＤＣＣＨの送信及びＰＤＳＣＨの送信に同じ下りリンク空間ドメイン送信フィルタを用いる制御を行ってもよい。
【０２０１】
制御部３０１は、ＰＤＣＣＨの送信及びＰＵＣＣＨの受信に同じ空間ドメイン送信フィルタを用いる制御を行ってもよい。
【０２０２】
また、制御部３０１は、低遅延ビーム選択を上位レイヤシグナリングによって設定したユーザ端末２０に対して、受信した最新の上記測定結果（ＣＳＩ測定結果など）に対応する下りリンク空間ドメイン送信フィルタと同じ下りリンク空間ドメイン送信フィルタを用いて、ＰＤＣＣＨを送信する制御を行ってもよい。
【０２０３】
制御部３０１は、ＰＤＣＣＨの送信に用いる下りリンク空間ドメイン送信フィルタと同じ下りリンク空間ドメイン送信フィルタを用いて、ＰＤＳＣＨを送信する制御を行ってもよい。
【０２０４】
制御部３０１は、ＰＤＣＣＨの送信に用いる下りリンク空間ドメイン送信フィルタと同じ上りリンク空間ドメイン受信フィルタを用いて、ＰＵＣＣＨを受信する制御を行ってもよい。
【０２０５】
（ユーザ端末）
図１４は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２０６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２０７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２０８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２０９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２１０】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ２０１は、例えばアレーアンテナによって構成してもよい。
【０２１１】
図１５は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０２１２】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２１３】
制御部４０１は、ユーザ端末２０全体の制御を実施する。制御部４０１は、本開示に係る技術分野での共通認識に基づいて説明されるコントローラ、制御回路又は制御装置から構成することができる。
【０２１４】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２１５】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２１６】
制御部４０１は、ベースバンド信号処理部２０４におけるデジタルＢＦ（例えば、プリコーディング）及び／又は送受信部２０３におけるアナログＢＦ（例えば、位相回転）を用いて、送信ビーム及び／又は受信ビームを形成する制御を行ってもよい。制御部４０１は、下り伝搬路情報、上り伝搬路情報などに基づいて、ビームを形成する制御を行ってもよい。これらの伝搬路情報は、受信信号処理部４０４及び／又は測定部４０５から取得されてもよい。
【０２１７】
また、制御部４０１は、基地局１０から通知された各種情報を受信信号処理部４０４から取得した場合、当該情報に基づいて制御に用いるパラメータを更新してもよい。
【０２１８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２１９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０２２０】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２２１】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２２２】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２２３】
測定部４０５は、受信した信号に関する測定を実施する。例えば、測定部４０５は、第１のキャリア及び第２のキャリアの一方又は両方について、同周波測定及び／又は異周波測定を行ってもよい。測定部４０５は、第１のキャリアにサービングセルが含まれる場合に、受信信号処理部４０４から取得した測定指示に基づいて第２のキャリアにおける異周波測定を行ってもよい。測定部４０５は、本開示に係る技術分野での共通認識に基づいて説明される測定器、測定回路又は測定装置から構成することができる。
【０２２４】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２２５】
なお、送受信部２０３は、下り共有チャネル（例えば、ＰＤＳＣＨ）のスケジュールのための下り制御情報（ＤＣＩ）（ＤＬアサインメントなど）を含むＰＤＣＣＨを受信してもよい。送受信部２０３は、低遅延ビーム選択の設定情報を基地局１０から受信してもよい。
【０２２６】
送受信部２０３は、下りリンク空間ドメイン受信フィルタを適用して測定した参照信号（ＣＳＩ測定用の参照信号、例えばＳＳＢ、ＣＳＩ−ＲＳなど）の測定結果を基地局１０に送信してもよい。
【０２２７】
制御部４０１は、低遅延ビーム選択を上位レイヤシグナリングによって設定される場合には、基地局１０におけるＰＤＣＣＨの送信及び基地局１０における特定のチャネルの送受信（送信及び受信の少なくとも一方）に同じ空間ドメインフィルタが用いられると想定してもよい。
【０２２８】
制御部４０１は、基地局１０におけるＰＤＣＣＨの送信及び基地局１０におけるＰＤＳＣＨの送信に同じ下りリンク空間ドメイン送信フィルタが用いられると想定してもよい。
【０２２９】
制御部４０１は、基地局１０におけるＰＤＣＣＨの送信に用いられる下りリンク空間ドメイン送信フィルタと、基地局１０におけるＰＵＣＣＨの受信に用いられる上りリンク空間ドメイン受信フィルタと、が同じであると想定してもよい。
【０２３０】
また、制御部４０１は、低遅延ビーム選択を上位レイヤシグナリングによって設定される場合に、ＰＤＣＣＨの受信に用いる当該ユーザ端末２０の下りリンク空間ドメイン受信フィルタが、送信した最新の上記測定結果（ＣＳＩ測定結果など）に対応する当該ユーザ端末２０の下りリンク空間ドメイン受信フィルタと同じであると想定してもよい。
【０２３１】
制御部４０１は、ＰＤＳＣＨの受信に用いる当該ユーザ端末２０の下りリンク空間ドメイン受信フィルタが、ＰＤＣＣＨの受信に用いる当該ユーザ端末２０の下りリンク空間ドメイン受信フィルタと同じであると想定してもよい。
【０２３２】
制御部４０１は、ＰＵＣＣＨの送信に用いる当該ユーザ端末２０の上りリンク空間ドメイン送信フィルタが、ＰＤＣＣＨの受信に用いる当該ユーザ端末２０の下りリンク空間ドメイン受信フィルタと同じであると想定してもよい。
【０２３３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０２３４】
例えば、本開示の一実施形態における基地局、ユーザ端末などは、本開示の無線通信方法の処理を行うコンピュータとして機能してもよい。図１６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３５】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２３６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２３７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２３８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２３９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２４０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２４１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２４３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２４４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２４５】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２４６】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２４７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２４８】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２４９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２５０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２５１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２５２】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２５５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２５６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２５７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２５８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２５９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２６０】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２６１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２６２】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２６３】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２６４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２６５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２６６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２６７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２６８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２６９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２７０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７１】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２７２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２７３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２７６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２７７】
本開示において使用する「システム」及び「ネットワーク」という用語は、互換的に使用され得る。
【０２７８】
本開示において、「プリコーディング」、「プリコーダ」、「ウェイト（プリコーディングウェイト）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２７９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２８０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２８１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２８２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８３】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２８４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２８５】
同様に、本開示におけるユーザ端末は、基地局で読み替えてもよい。この場合、上述のユーザ端末２０が有する機能を基地局１０が有する構成としてもよい。
【０２８６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２８７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２８８】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２８９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２９０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２９１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２９２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２９３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２９４】
また、「判断（決定）」は、「想定する（assuming）」、「期待する（expecting）」、「みなす（considering）」などで読み替えられてもよい。
【０２９５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２９６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２９７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２９８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２９９】
本開示において、例えば、英語でのa,  an及びtheのように、翻訳によって冠詞が追加された場合、本開示は、これらの冠詞の後に続く名詞が複数形であることを含んでもよい。
【０３００】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020012661.tif 000003
【図２】
2020012661.tif 000004
【図３】
2020012661.tif 000005
【図４】
2020012661.tif 000006
【図５】
2020012661.tif 000007
【図６】
2020012661.tif 000008
【図７】
2020012661.tif 000009
【図８】
2020012661.tif 000010
【図９】
2020012661.tif 000011
【図１０】
2020012661.tif 000012
【図１１】
2020012661.tif 000013
【図１２】
2020012661.tif 000014
【図１３】
2020012661.tif 000015
【図１４】
2020012661.tif 000016
【図１５】
2020012661.tif 000017
【図１６】
2020012661.tif 000018
【国際調査報告】
2020012661.tif 000019
2020012661.tif 000020
2020012661.tif 000021
2020012661.tif 000022